(57)【要約】  【課題】  マルチエアコンの室外ユニットとして、冷媒量の増加に伴う大型化や増設を余儀なくされたレシ−バの収納場所を確保する。  【解決手段】  レシーバと、熱交換器と、ファンと、前記ファンによる風回路を内部に設けた空気調和機の室外ユニットにおいて、前記熱交換器内の銅管を熱交換器の途中から一部熱交換器外に延出させ、その途中にレシーバを接続し、前記レシーバは前記空気調和機室外ユニットの風回路内に配設する。【選択図】  図１
2005055024.tif 000002
【特許請求の範囲】
【請求項１】
レシーバと、熱交換器と、ファンと、前記ファンによる風回路を内部に設けた空気調和機の室外ユニットにおいて、前記熱交換器を貫通して冷媒を流通させる銅管の一部を前記熱交換器より延出させ、前記レシーバに接続したことを特徴とする空気調和機の室外ユニット。
【請求項２】
室外ユニット内の空間を仕切板により２つの空間に分け、その片方の空間に風回路を設けて、前記風回路内にレシーバを設けたことを特徴とする、請求項１記載の空気調和機の室外ユニット。
【請求項３】
ことを特徴とする、請求項１〜２のいずれかに記載の空気調和機の室外ユニット。
【発明の詳細な説明】
【技術分野】
【０００１】
本発明は、空気調和機の室外ユニットの冷凍サイクルの構造に関するものである。
【背景技術】
【０００２】
従来の空気調和機の室外ユニットは、図６および図７に示すように本体内を仕切板４で圧縮機５、アキュ−ムレ−タ６、四方弁７や内外接続バルブ９ａ、９ｂ及びそれらを結ぶ接続配管（図示せず）等を収納している機械室１１と熱交換器３、ファン１４、ファンモ−タ支持台１６等で構成される送風回路１３に区分され、レシ−バ２０は前記機械室１１に収納しきれない場合には前記送風路内１３に前記仕切板４に設けられた貫通穴２３を経てレシ−バ接続配管１９で連結され、前記貫通穴２３の隙間にはスペ−サ２４を配していた（例えば、特許文献１参照）。
【特許文献１】特開２００１−１７３９９８号公報
【発明の開示】
【発明が解決しようとする課題】
【０００３】
しかしながら、上記従来の構成では、マルチエアコン用室外ユニットにおいて、冷媒量増加に伴うレシ−バの大型化や増設に対して、風回路内にレシーバを置く対策をとっていたが、レシーバへの接続配管を仕切板に貫通させる構成となっており、仕切板の構成が複雑になるばかりでなく、空気や水の漏れのためにシール材を追加する必要があった。
【０００４】
また、接続配管の引き廻しによって送風性能の低下を招いていた。
【０００５】
さらに暖房運転時、室外機の熱交換器を中心に付着した霜はディアイス、即ち冷凍サイクルを逆サイクル（冷房サイクル）にして、室外熱交換器にホットガスを導入し、その熱で溶かすのであるが、上記のようにレシーバと熱交換器が離れた位置にあると、レシーバ表面やレシーバ下方に滴下し氷結した氷をディアイスで溶かすことができず、基板が凍結するという課題を有していた。
【０００６】
本発明はこのような従来の課題を解決するものであり、大型化あるいは増設を余儀なくされたレシ−バの収納場所の確保並びに、レシ−バへの接続配管を熱交換器内部配管を経由し、仕切板に余分な貫通穴を必要とせず、さらに暖房運転時の基板凍結防止を図った空気調和機の室外ユニットを提供することを目的とする。
【課題を解決するための手段】
【０００７】
上記課題を解決するために本発明は、レシーバと、熱交換器と、ファンと、前記ファンによる風回路を内部に設けた空気調和機の室外ユニットにおいて、前記熱交換器を貫通して冷媒を流通させる銅管の一部を前記熱交換器より延出させ、前記レシーバに接続したものである。
【０００８】
また、室外ユニット内の空間を仕切板により２つの空間に分け、その片方の空間に風回路を設けて、前記風回路内にレシーバを設けたものである。
【０００９】
さらに、室外ユニット内の熱交換器の長手方向の端部近傍に空間を設け、前記空間にレシーバを収納したものである。
【００１０】
この構成をなすことにより、大型化や増設を余儀なくされたレシ−バの収納場所の確保することができ、仕切板に余分な貫通穴を必要とせず、さらに暖房運転時の基板凍結防止できる空気調和機の室外ユニットが得られる。
【００１１】
また、前記レシ−バを前記送風回路内の熱交換器、ファン、ファンモ−タ支持台及び送風吹出口を有する前板で形成される余分な空間にて保持することにより、大型化あるいは増設を余儀なくされたレシ−バの収納場所の確保を送風抵抗なく実現できると共にレシ−バへの接続配管を熱交換器内部配管を経由し、仕切板に余分な貫通穴を必要とせず、さらに暖房運転時の基板凍結防止できる空気調和機の室外ユニットが得られる。
【発明の効果】
【００１２】
本発明は、レシーバと、熱交換器と、ファンと、前記ファンによる風回路を内部に設けた空気調和機の室外ユニットにおいて、室外ユニット内の空間を仕切板により２つの空間に分け、その片方の空間に風回路を設け、前記熱交換器を貫通して冷媒を流通させる銅管の一部を前記熱交換器より延出させ、前記レシーバに接続し前記レシーバを前記風回路に設けたもので、大型化おるいは増設を余儀なくされたレシ−バの収納場所の確保並びに、仕切板に余分な貫通穴を必要とせず、さらに暖房運転時の基板凍結防止できる空気調和機の室外ユニットが得られる。
また、室外ユニット内の熱交換器の長手方向の端部近傍に空間を設け、前記空間にレシーバを収納したもので、大型化おるいは増設を余儀なくされたレシ−バの収納場所の確保を送風抵抗なく実現できると共に、仕切板に余分な貫通穴を必要とせず、さらに暖房運転時の基板凍結防止できる空気調和機の室外ユニットが得られる。
【発明を実施するための最良の形態】
【００１３】
以下、本発明の実施の形態について図面を参照して説明する。
【００１４】
（実施の形態１）
図１あるいは図２において、空気調和機の室外ユニット１の基板２上に、前記室外ユニット１の一方の側面ａと背面ｂに面してＬ型に形成された熱交換器３、もう一方の側面側ｃに仕切板４により圧縮機５、アキュ−ムレ-タ６、四方弁７、膨張弁８、ガス側接続バルブ９ａ、液側接続バルブ９ｂ及び冷媒配管１０等の冷凍サイクル部品を収納する機械室１１、さらに上方に電装箱１２を配し、さらに前記熱交換器３と仕切板４で形成される送風回路１３に、ファン１４及びファンモ−タ１５を保持するファンモ−タ支持台１６を配置し、前記送風回路１３内の熱交換器３、ファン１４及びファンモ−タ支持台１５で形成される空間ｄに、前記熱交換器３の内部配管１８ａ、１８ｂからレシ−バ接続配管１９ａ、１９ｂで接続させた余剰冷媒貯蔵用のレシ−バ20を基板２にレシ−バ支持板２１で固定し、前記レシ−バ２０へ接続されるレシ−バ接続配管１９ａ、１９ｂを熱交換器３の基板２近傍に配置している。
【００１５】
図３は本実施の形態の冷凍サイクルを示した図で、３は熱交換器、５は圧縮機、６はアキュ−ムレ−タ、７は四方弁、８は膨張弁、９ａはガス側接続バルブ、９ｂは液側接続バルブ、１８ａ、１８ｂは（前記熱交換器３の）内部配管、１９ａ、１９ｂはレシ−バ接続配管、２０はレシーバである。
【００１６】
上記実施形態によれば、送風回路１３内の熱交換器３、ファン１４及びファンモ−タ支持台１５で形成される空間ｄに、前記熱交換器３の内部配管１８ａ、１８ｂから冷媒配管１９ａ、１９ｂで接続させた余剰冷媒貯蔵用のレシ−バ２０を基板２にレシ−バ支持板２１で固定し、前記レシ−バ２０へ接続されるレシ−バ接続配管１９ａ，１９ｂを熱交換器3の基板2近傍へ配置してレシ−バ２０を収納していると共に、ガス側接続バルブ９aと膨張弁８間に、一対の熱交換器内部配管１８ａ、１８ｂ及びレシ−バ２０、レシ−バ接続配管１９ａ、１９ｂを配することにより、暖房運転時に熱交換器３から発生し基板２にたまったドレン水は室内機（図示せず）から戻ってきた余熱を残した冷媒が機械室11のガス側接続バルブ９ａを経由して、熱交換器３の内部配管１８ａ、１８ｂ及びレシ−バ接続配管１９ａ、１９ｂを流れる過程で暖められ、凍結を防止することがことができる。
【００１７】
（実施の形態２）
図４あるいは図５において、空気調和機の室外ユニット１の基板２上に、前記室外ユニット１の一方の側面ａと背面ｂに面してＬ型に形成された熱交換器３、もう一方の側面側ｃに仕切板４により圧縮機５、アキュ−ムレ-タ６、四方弁７、膨張弁８、ガス側接続バルブ９ａ、液側接続バルブ９ｂ及び冷媒配管１０等の冷凍サイクル部品を収納する機械室１１、さらに上方に電装箱１２を配し、さらに前記熱交換器３と仕切板４で形成される送風回路１３に、ファン１４及びファンモ−タ１５を保持するファンモ−タ支持台１６を配置し、前記送風回路１３内の熱交換器３、ファン１４、ファンモ−タ支持台１５及び送風吹出口１７ａを有する前板１７で形成される空間ｅに、前記熱交換器３の基板２近傍の一対の内部配管１８ａ、１８ｂからレシ−バ接続配管１９ａ、１９ｂで接続させた余剰冷媒貯蔵用のレシ−バ２０直接で固定している。
【００１８】
上記実施形態によれば、送風回路１３内の熱交換器３、ファン１４、ファンモ−タ支持台１５及び送風吹出口１７ａを有する前板１７で形成される空間ｅに、前記熱交換器３の基板２近傍の一対の内部配管１８ａ、１８ｂからレシ−バ接続配管１８ａ、１８ｂで余剰冷媒貯蔵用のレシ−バ２０を直接固定しているので、新たなレシ−バ固定金具を必要とせずまた送風回路にて抵抗とならずに配置できる共に、暖房運転時に熱交換器３から発生し基板２にたまったドレン水は室内機（図示せず）から戻ってきた余熱を残した冷媒が機械室11のガス側接続バルブ９ａを経由して、熱交換器３の基板近接内部配管１８ａ、１８ｂを流れる過程で暖められ凍結を防止することができる。
【図面の簡単な説明】
【００１９】
【図１】本発明の第１の実施の形態を示す空気調和機の室外ユニットの横断面図
【図２】本発明の第１の実施の形態の空気調和機の室外ユニットの縦断面図
【図３】本発明の第１の実施の形態の空気調和機の冷凍サイクル図
【図４】本発明の第２の実施の形態を示す横断面図
【図５】本発明の第２の実施の形態を示す縦断面図
【図６】従来の空気調和機の室外ユニットの横断面図
【図７】従来の空気調和機の室外ユニットの要部詳細図
【符号の説明】
【００２０】
１  空気調和機の室外ユニット
３  熱交換器
４  仕切板
１０  冷媒配管
１３  送風回路
１４  ファン
２０  レシ−バ
【図１】
2005055024.tif 000003
【図２】
2005055024.tif 000004
【図３】
2005055024.tif 000005
【図４】
2005055024.tif 000006
【図５】
2005055024.tif 000007
【図６】
2005055024.tif 000008
【図７】
2005055024.tif 000009